(57)【要約】【課題】  スーパーインポーズ表示を行うにあたって、表示を行うべきターゲットマーク以外の隣接するターゲットマークが表示状態となることのないようにしたカメラのファインダ装置を提供する。【解決手段】  複数のターゲットマークを有し、この複数のターゲットマークのうちの一つである第１のターゲットマークと、第１のターゲットマークの近傍に配置された第２のターゲットマークとを有する表示板５と、第１のターゲットマーク上に第１の方向から照射するように投射光を発光する発光ダイオード１０と、第２のターゲットマーク上に第２の方向から照射するように投射光を発光する発光ダイオード１１を備え、表示板５の第１および第２のターゲットマークは、第１の方向から投射光を入射した場合と、第２の方向から投射光を入射した場合で、その反射方向が異なり、ターゲットとしないターゲットマークに投射光が入射した場合には、表示状態とはならない。  【選択図】  図１
2009175577.tif 000002
【特許請求の範囲】
【請求項１】
カメラのファインダ装置において、
上記ファインダ装置内に配置されたペンタプリズムと、
上記ペンタプリズムの入射面の直前に配置され、複数のターゲットマークを有し、該複数のターゲットマークのうちの一つである第１のターゲットマークと、該第１のターゲットマークの近傍に配置された第２の複数のターゲットマークとを有する光透過性の板状部材と、
スーパーインポーズのため、上記ペンタプリズムのダハ面と入射面との間の一側方に配置され、上記第１のターゲットマーク上に照射するように上記ペンタプリズムのダハ面より上記ペンタプリズム内に入射する光を発光する第１の発光手段と、
スーパーインポーズのため、上記ペンタプリズムのダハ面と入射面との間の上記一側方と対向する他側方に配置され、上記第２の複数のターゲットマーク上に照射するように上記ペンタプリズムのダハ面より上記ペンタプリズム内に入射する複数の光を発光する第２の発光手段と、
上記ダハ面と上記第１の発光手段との間に配置され、上記第１の発光手段から発光光束を上記第１のターゲットマークに集光する第１の光学素子と、
上記ダハ面と上記第２の発光手段との間に配置され、上記第２の発光手段から発光光束を上記第２の複数のターゲットマークに集光する第２の光学素子と、
を具備することを特徴とするカメラのファインダ装置。
【請求項２】
上記ダハ面上には上記発光手段からの光を反射させてから上記ペンタプリズム内への入射させる反射プリズムが配置されていることを特徴とする請求項１に記載のカメラのファインダ装置。
【請求項３】
上記ダハ面と上記発光手段との間には上記発光手段からの光を反射させてから上記ペンタプリズム内へと入射させる反射プリズムが配置されていることを特徴とする請求項１に記載のカメラのファインダ装置。
【請求項４】
上記発光手段は、上記ペンタプリズムの側方に配置され、発光光をカメラ前方から後方へ射出し、該射出光を上記ダハ面に投射するための下方に折り曲げる反射面を有する反射プリズムを有することを特徴とする請求項１に記載のカメラのファインダ装置。
【請求項５】
カメラのファインダ装置において、
複数のターゲットマークを有し、該複数のターゲットマークのうちの一つである第１のターゲットマークと、該第１のターゲットマークの近傍に配置された第２の複数のターゲットマークとを有する光透過性の板状部材と、
上記板状部材上の被写体像を接眼レンズに導くために、上記板状部材から被写体光束を入射させる入射開口と上記板状部材からの被写体光束を左右反転させながら上記カメラの前方へ反射する第１の反射面である一対のダハ面と、該第１の反射面から反射された被写体光束をカメラ後方に反射する第２の反射面とを有する反射ミラー部材と、
スーパーインポーズのため、上記反射ミラー部材の上記ダハ面と上記入射開口との間の一側方に配置され、上記第１のターゲットマーク上に照射するように上記反射ミラー部材の上記ダハ面より上記ミラー反射部材内に入射する光を発光する第１の発光手段と、
スーパーインポーズのため、上記反射ミラー部材の上記ダハ面と上記入射開口との間の上記一側方と対向する他側方に配置され、上記第２の複数のターゲットマーク上に照射するように上記反射ミラー部材の上記ダハ面より上記反射ミラー部材内に入射する複数の光を発光する第２の発光手段と、
上記ダハ面と上記第１の発光手段との間に配置され、上記第１の発光手段から発光光束を上記第１のターゲットマークに集光する第１の光学素子と、
上記ダハ面と上記第２の発光手段との間に配置され、上記第２の発光手段から発光光束を上記第２の複数のターゲットマークに集光する第２の光学素子と、
を具備することを特徴とするカメラのファインダ装置。
【請求項６】
複数のターゲットマークを有し、該複数のターゲットマークのうちの一つである第１のターゲットマークと、該第１のターゲットマークの近傍に配置された第２のターゲットマークとを有する光透過性の板状部材と、
スーパーインポーズのため、上記第１のターゲットマーク上に第１の方向から照射するように投射光を発光する第１の発光手段と、
スーパーインポーズのため、上記第２のターゲットマーク上に第２の方向から照射するように投射光を発光する第２の発光手段と、
を具備し、
上記板状部材の上記第１および第２のターゲットマークは、上記第１および第２の方向に応じて反射方向が異なることを特徴とするカメラのファインダ装置。
【請求項７】
被写体像の左右を反転するための１対のダハ面を有する反転光学系を備え、上記第１および第２の発光手段による投射光はそれぞれ異なる上記ダハ面より入射させることを特徴とする請求項６に記載のカメラのファインダ装置。
【請求項８】
上記ターゲットマークは、入射角度依存性のある反射面を有することを特徴とする請求項６に記載のカメラのファインダ装置。
【発明の詳細な説明】
【技術分野】
【０００１】
本発明は、カメラのファインダ装置に関し、詳しくは、スーパーインポーズ表示のための照明光学系を有するカメラのファインダ装置に関する。
【背景技術】
【０００２】
カメラには、種々の機能があり、これらの機能のうち、例えば、マルチ測距ポイントやマルチ測光ポイントの表示等のために、ファインダ内においてスーパーインポーズ表示がしばしば採用されている。このスーパーインポーズ表示としては、スクリーン上に形成された測距枠等のターゲットマークに照明光を投射するやり方が知られている。
【０００３】
例えば、特許文献１には、ペンタプリズムの前部に照明光の光源を配置し、ペンタプリズムを介してターゲットマークを設けたフォーカシングスクリーンに投射するカメラの表示装置が開示されている。また、特許文献２には、ペンタプリズムの入射面とダハ面との間の側壁面から照明光をターゲットマークの設けられたスクリーンに投射するファインダ装置が開示されている。
【特許文献１】特開２０００−１２２１５１号公報
【特許文献２】特開２００６−１０７８２号公報
【発明の開示】
【発明が解決しようとする課題】
【０００４】
測距枠等のターゲットマークが複数設けられている場合に、いずれかのターゲットマークに照明光を投射すると、照明光に広がりがあるために、隣接するターゲットマークも明るくなり表示状態となってしまい紛らわしい場合がある。
【０００５】
前述の特許文献１に記載の図面に基づく図９を用いて上記課題について説明する。図９は、ペンタプリズム３３、表示板３２、フォーカシングスクリーン３１とからなる一眼レフレックスカメラの表示部の断面図である。この図より、プリズム集光部３２ａ１、３２ａ２、３２ｂ１、３２ｂ２、３２ｃ１、３２ｃ２へのＬＥＤからの入射光は、プリズム集光部へ略同角度で入射していることがわかる。ここで、焦点検出枠３２ａをターゲットとするＬＥＤから照明光Ｌ１が発光されるが必ずしも理想の光束であるＬ１のみを発光するわけでなく、これ以外の周辺にも僅かながらの光を放出することは当然に考えられ、その不要光が狙いの焦点検出枠３２ａ以外の隣接する焦点検出枠３２ｂ、３２ｃであるプリズム集光部３２ｂ１、３２ｂ２、３２ｃ１、３２ｃ２に周り込んでしまう。これは焦点検出枠３２ａに入射する入射光Ｌ１の入射角度と焦点検出枠３２ｂに入射する入射光Ｌ２の入射角度とは異なるものの大きな角度差がないために生じてしまうからである。そのため焦点検出枠１２ｂをターゲットとして照明するＬＥＤは焦点検出枠３２ａ以外の隣接する焦点検出枠３２ｂ、３２ｃを少なからず照明してしまい、不必要な焦点検出枠が表示されてしまう。
【０００６】
本発明は、このような事情を鑑みてなされたものであり、スーパーインポーズ表示を行うにあたって、表示を行うべきターゲットマーク以外の隣接するターゲットマークが表示状態となることのないようにしたカメラのファインダ装置を提供することを目的とする。
【課題を解決するための手段】
【０００７】
上記目的を達成するため第１の発明に係わるカメラのファインダ装置は、ファインダ装置内に配置されたペンタプリズムと、上記ペンタプリズムの入射面の直前に配置され、複数のターゲットマークを有し、該複数のターゲットマークのうちの一つである第１のターゲットマークと、該第１のターゲットマークの近傍に配置された第２の複数のターゲットマークとを有する光透過性の板状部材と、スーパーインポーズのため、上記ペンタプリズムのダハ面と入射面との間の一側方に配置され、上記第１のターゲットマーク上に照射するように上記ペンタプリズムのダハ面より上記ペンタプリズム内に入射する光を発光する第１の発光手段と、スーパーインポーズのため、上記ペンタプリズムのダハ面と入射面との間の上記一側方と対向する他側方に配置され、上記第２の複数のターゲットマーク上に照射するように上記ペンタプリズムのダハ面より上記ペンタプリズム内に入射する複数の光を発光する第２の発光手段と、上記ダハ面と上記第１の発光手段との間に配置され、上記第１の発光手段から発光光束を上記第１のターゲットマークに集光する第１の光学素子と、上記ダハ面と上記第２の発光手段との間に配置され、上記第２の発光手段から発光光束を上記第２の複数のターゲットマークに集光する第２の光学素子と、を具備する。
【０００８】
第２の発明に係わるカメラのファインダ装置は、上記第１の発明において、上記ダハ面上には上記発光手段からの光を反射させてから上記ペンタプリズム内への入射させる反射プリズムが配置されている。
また、第３の発明に係わるカメラのファインダ装置は、上記第１の発明において、上記ダハ面と上記発光手段との間には上記発光手段からの光を反射させてから上記ペンタプリズム内へと入射させる反射プリズムが配置されている。
さらに、第４の発明に係わるカメラのファインダ装置は、上記第１の発明において、上記発光手段は、上記ペンタプリズムの側方に配置され、発光光をカメラ前方から後方へ射出し、該射出光を上記ダハ面に投射するための下方に折り曲げる反射面を有する反射プリズムを有する。
【０００９】
上記目的を達成するため第５の発明に係わるカメラのファインダ装置は、複数のターゲットマークを有し、該複数のターゲットマークのうちの一つである第１のターゲットマークと、該第１のターゲットマークの近傍に配置された第２の複数のターゲットマークとを有する光透過性の板状部材と、上記板状部材上の被写体像を接眼レンズに導くために、上記板状部材から被写体光束を入射させる入射開口と上記板状部材からの被写体光束を左右反転させながら上記カメラの前方へ反射する第１の反射面である一対のダハ面と、該第１の反射面から反射された被写体光束をカメラ後方に反射する第２の反射面とを有する反射ミラー部材と、スーパーインポーズのため、上記反射ミラー部材の上記ダハ面と上記入射開口との間の一側方に配置され、上記第１のターゲットマーク上に照射するように上記反射ミラー部材の上記ダハ面より上記ミラー反射部材内に入射する光を発光する第１の発光手段と、スーパーインポーズのため、上記反射ミラー部材の上記ダハ面と上記入射開口との間の上記一側方と対向する他側方に配置され、上記第２の複数のターゲットマーク上に照射するように上記反射ミラー部材の上記ダハ面より上記反射ミラー部材内に入射する複数の光を発光する第２の発光手段と、上記ダハ面と上記第１の発光手段との間に配置され、上記第１の発光手段から発光光束を上記第１のターゲットマークに集光する第１の光学素子と、上記ダハ面と上記第２の発光手段との間に配置され、上記第２の発光手段から発光光束を上記第２の複数のターゲットマークに集光する第２の光学素子と、を具備する。
【００１０】
上記目的を達成するため第６の発明に係わるカメラのファインダ装置は、複数のターゲットマークを有し、該複数のターゲットマークのうちの一つである第１のターゲットマークと、該第１のターゲットマークの近傍に配置された第２のターゲットマークとを有する光透過性の板状部材と、スーパーインポーズのため、上記第１のターゲットマーク上に第１の方向から照射するように投射光を発光する第１の発光手段と、スーパーインポーズのため、上記第２のターゲットマーク上に第２の方向から照射するように投射光を発光する第２の発光手段と、を具備し、上記板状部材の上記第１および第２のターゲットマークは、上記第１および第２の方向に応じて反射方向が異なる。
【００１１】
第７の発明に係わるカメラのファインダ装置は、上記第６の発明において、被写体像の左右を反転するための１対のダハ面を有する反転光学系を備え、上記第１および第２の発光手段による投射光はそれぞれ異なる上記ダハ面より入射させる。
さらに、第８の発明に係わるカメラのファインダ装置は、上記第６の発明において、上記ターゲットマークは、入射角度依存性のある反射面を有する。
さらに、第９の発明に係わるカメラのファインダ装置は、上記第８の発明において、上記入射角度依存性のある反射面は微小プリズムから構成されている。
【発明の効果】
【００１２】
本発明によれば、スーパーインポーズ表示を行うにあたって、表示を行うべきターゲットマーク以外の隣接するターゲットマークが表示状態となることのないようにしたカメラのファインダ装置を提供することができる。
【発明を実施するための最良の形態】
【００１３】
以下、図面に従って本発明を適用したデジタル一眼レフカメラを用いて好ましい実施形態について説明する。本発明の一実施形態に係わるデジタル一眼レフカメラは、撮影レンズによって形成される被写体像をファインダ光学系によって観察可能であると共に、多点測距の測距ポイントをスーパーインポーズ表示することが可能となっている。
【００１４】
図１は、本実施形態に係わるデジタル一眼レフカメラを正面側からみた要部内部配置原理図である。また、図２は、本実施形態のデジタル一眼レフカメラのペンタプリズム周辺の具体的な構造を示す斜視図であり、図３は、このペンタプリズム周辺の構造の分解斜視図であり、図４は、表示板を示す平面図であり、図５は表示板の測距枠の構成を示す平面図であり、図６は測距枠を構成する微小プリズムの断面図である。
【００１５】
カメラ本体１の正面の略中央には、交換レンズの装着するためのボディマウント面２が設けられている。このボディマウント面２の開口部の奥には、被写体光束をペンタプリズム６側に反射させるための可動反射ミラー３が配置されている。この可動反射ミラー３が上昇位置に移動すると、交換レンズ内の撮影レンズを通過した被写体光束は撮影レンズ光軸上に配置された撮像素子（不図示）上に結像する。
【００１６】
可動反射ミラー３の上方であって、可動反射ミラー３から撮像素子までと等価の距離に、光透過性の板状部材であるフォーカシングスクリーン４が配置されている。このフォーカシングスクリーン４の上方に隣接して光透過性の板状部材である表示板５が配置されている。この表示板５には、スーパーインポーズ表示用であって、図４に示すように、多点測距の測距ポイントを示すターゲットマークである測距枠５ａ〜５ｋ（図４の例では、１１点の測距枠）、評価測光範囲５ｍ、視野枠５ｎが設けられている。
【００１７】
多点測距の測距枠５ａ等のそれぞれは、表示板５の底面に複数の微小プリズム１７（図５、図６参照）で構成されており、スーパーインポーズ用の照明光が照射されると、照明光が微小プリズム１７で反射し、被写体像と共にファインダ接眼レンズに射出され、合焦箇所や合焦状態を観察することができる。なお、視野枠５ｎの下側には、表示板保持枠に設けられた露出制御値等の撮影情報表示部１６が設けられている。
【００１８】
表示板５の上方には、透明ガラスからなるペンタプリズム６が配置されている。このペンタプリズム６は、フォーカシングスクリーン４上に結像した被写体像を左右反転させるための公知の光学部材である。ペンタプリズム６の左右のダハ面６ｄには、その一部に、図３に示すように、銀蒸着などにより一対の反射面６ｂが施してあり、またペンタプリズム６の前方面にも反射面６ａが施してある。これら反射面としての銀蒸着などが施された後、接眼レンズに光を射出する後方にある射出面と、フォーカシングスクリーン４からの被写体光束が入射する入射面を除いてペンタプリズム全体に黒塗装が施されている。これら一対の反射面６ｂによって、被写体像は反転され、正立像として観察することができる。
【００１９】
なお、スーパーインポーズ用の照明光を入射するための黒塗装を施さない一部領域である透過領域（領域面）６ｃが、左右のダハ面６ｄにそれぞれ設けられている。この透過領域６ｃは、左右のダハ面６ｄの頂線に対して下側であり、ペンタプリズムの出射面に近い側に配置されている。
【００２０】
ダハ面６ｄの透過領域６ｃの近傍には、図１に示すように、カメラ本体正面側から見て右側には、スーパーインポーズ用の照明を行う発光ダイオード１０を有した基板９と、この発光ダイオード１０からの照射光を集光し投光するための投光レンズ８が配置されている。また、左側には、スーパーインポーズ用の照明を行う発光ダイオード１１を有した基板１９と、この発光ダイオード１１からの照射光を集光し投光するための投光レンズ１８が配置されている。
【００２１】
これら一対の投光レンズ８、１８と発光ダイオード１０、１１を有した基板９、１９の構成について、図２及び図３を用いて説明する。なお、これら投光レンズ８、１８と基板９、１９の構成は、左右が逆である他は、両者とも同様であるので、カメラ本体正面側から見て右側の投光レンズ８と基板９を中心に説明する。
【００２２】
ペンタプリズム６を保持するペンタプリズム保持体１５にはピン１５ａと孔１５ｂが設けられている。枠体１３の孔１３ａは、ピン１５ａに嵌合し、またネジ孔１５ｂおよびネジ孔１３ｂを介してネジ（不図示）によって、ペンタプリズム保持体１５に固定される。なお、図２および図３には不図示であるが、枠体１３には、発光ダイオード１０からの投射光を反射するための反射プリズムが設けられている。
【００２３】
枠体１３のスリット溝１３ｃには、投光レンズ８が形成されたレンズ保持部材８Ａと絞りとしての開口を有した絞り１２が挿入され、一体化される。また、枠体１３の面１３ｄには、発光ダイオード１０を有した基板９が接着で固定される。発光ダイオード１０には、複数の発光ダイオード素子が実装されており、それぞれの発光ダイオード素子の発光制御することにより、図４に示す、測距枠５ａ〜５ｋに投光することができる。
【００２４】
ここで、測距枠５ａ、５ｃ、５ｄ、５ｆ、５ｈ、５ｉ、５ｋの測距ポイントについては、基板９に実装されたそれぞれの測距枠に対応する発光ダイオード１０によって投光される。また、測距枠５ｂ、５ｅ、５ｇ、５ｊの測距ポイントについては、基板１９に実装されたそれぞれの測距枠に対応する発光ダイオード１１によって投光される。つまり、隣接する測距枠については、同一の発光ダイオードから投光されないように構成されている。発光ダイオード１１の各発光ダイオード素子の投射光は、測距枠５ｂ等を含めて投射範囲２０を照射する。発光ダイオード１０の各発光ダイオード素子の投射光の投射範囲は不図示であるが、測距枠５ａ等を含めて、投射範囲２０とほぼ同面積の範囲を照射する。
【００２５】
前述の表示板５は、ペンタプリズム保持枠１５に保持されている。また、フォーカシングスクリーン４はスクリーン保持枠に保持され、このスクリーン保持枠は、カメラ本体に保持されている。すなわち、表示板５とフォーカシングスクリーン４は、それぞれ別々の保持体に保持されている。
【００２６】
次に、測距枠５ａ等の構造について、図５および図６を用いて説明する。図５は、測距枠５ａ〜５ｋの一つを拡大した平面図であり、図４において、測距枠５ａ等として直線で示した線は微小プリズム１７の集まりによって形成される。すなわち、四角形の直線に沿って多数の微小プリズム１７が配列されている。
【００２７】
図６（Ａ）は微小プリズム１７のＡＡ断面図であり、図６（Ｂ）はＢＢ断面図である。微小プリズム１７は、一対の反射面１７ａ、１７ｂを有し、図６（Ａ）（Ｂ）に示すように表示板５の底面側に突状に突出している。基板９に設けられた発光ダイオード１０の投射光の入射方向は、図１に示すようにカメラ本体正面側からみて右上側から左下側に向けてであり、また、基板１９に設けられた発光ダイオード１１の投射光の入射方向は、左上側から右下側に向けてである。微小プリズム１７の側壁１７ａおよび側壁１７ｂの稜線１７ｃ（実際には平面）と表示板５の底面となす角度は、発光ダイオード１０または発光ダイオード１１からの投射光Ｌの入射方向を考慮し、側壁１７ｂで反射される発光ダイオードの反射光の方向が、ペンタプリズム６に入射し接眼レンズに進む方向の角度とする。
【００２８】
図７は図４に示した表示板５のＡＡ断面を省略して示している。図７の表示板５はターゲットマーク５ｂの微小プリズムの一つを表現し、同様に隣接するターゲットマーク５ａ、５ｃの微小プリズムのそれぞれの一つを表現している。ここで、ターゲットマーク５ｂに入射されるべき発光ダイオード１０（ＬＥＤ）の一つから照射される光線を光線Ｌ１とすると、投射範囲２０のその周辺にも僅かながら不要光（図７中の不要光領域Ｌ１’）が投射される。ここでＬ１の微小プリズム５ｂに対する入射角と反射角の合計角度をαとすると、隣接するターゲットマーク５ａに入射すべき発光ダイオード１１（ＬＥＤ）の一つから照射される光線の微小プリズム５ａに対する入射角と反射角の合計をβとする。従って、αとβとは表示板に垂直な軸に対しその角度を全く逆に採ることになり、たとえ不要光Ｌ１’が微小プリズム５ａに入射したとしてもその反射光はファインダ視野内に目立つようには反射しない。
【００２９】
さらに、微小プリズム１７の詳細について図８を用いて説明する。図中５ａ’、５ｂ’、５ｃ’それぞれにおいては測距枠５ａ〜５ｋを構成している微小プリズム群の一つのみを拡大誇張して表示している。実際には前述説明のとおり微小プリズム１７が群となりそれぞれの枠を構成している。
【００３０】
今、微小プリズム５ｂ’における一対の反射面は互いに９０度で交差し、その交差線５ｂ’ｃは図８に示すように斜めに傾いている。ここで、図中左右方向にＸ軸、縦方向にＹ軸、図の紙面に垂直な方向にＺ軸を採ると、この交差線はＸ−Ｙ平面に関し負の傾きを呈している。一対の反射面の一方の反射面５ｂ’ａの反射側への単位法線ベクトルをＡ１、その成分を（ｘ１、ｙ１、ｚ１）、他方の反射面５ｂ’ｂの反射側への単位法線ベクトルをＢ１（ｘ２、ｙ２、ｚ２）とすると（但し、ｘ１≠０、ｙ１≠０、ｚ１≠０、ｘ２≠０、ｙ２≠０、ｚ２≠０）、Ａ１＋Ｂ１のベクトルのｘ、ｙ、ｚの成分を（ｘ１＋ｘ２、ｙ１＋ｙ２、ｚ１＋ｚ２）と定義できる。このときＡ１＋Ｂ１の成分（ｘ１＋ｘ２）は、正の成分、すなわちｘ１＋ｘ２＞０、成分（ｙ１＋ｙ２）は、負の成分、すなわちｙ１＋ｙ２＜０をとり、成分（ｚ１＋ｚ２）は、正の成分、すなわちｚ１＋ｚ２＞０を採る。そして微小プリズム５ｅ’、５ｇ’
、５ｊ’についても、微小プリズム５ｂ’と同様となっている。
【００３１】
微小プリズム５ａ’の一対の反射面の一方の反射面５ａ’ａの反射側への単位法線ベクトルをＡ２、その成分を（ｘ１’、ｙ１’、ｚ１’）、他方の反射面５ａ’ｂの反射側への単位法線ベクトルをＢ２（ｘ２’、ｙ２’、ｚ２’）とすると、Ａ２＋Ｂ２のベクトルのｘ、ｙ、ｚの成分を（ｘ１’＋ｘ２’、ｙ１’＋ｙ２’、ｚ１’＋ｚ２’）と定義できる。このときＡ２＋Ｂ２の成分（ｘ１’＋ｘ２’）は負の成分、成分（ｙ１’＋ｙ２’）は負の成分をとり、成分（ｚ１’＋ｚ２’）は正の成分を採る。そしてこの微小プリズム５ａ’の交差線はＸ−Ｙ平面に関し負の傾きを呈している。また、微小プリズム５ｃ’、５ｄ’
、５ｆ’ 、５ｈ’
、５ｉ’ 、５ｋ’についても、微小プリズム５ａ’と同様となっている。
【００３２】
すなわち隣合う測距枠の、微小プリズムの一対の反射面の単位法線ベクトルの合成ベクトルのｘ成分同士、言い換えると左右方向の成分の値は正負が逆の関係、すなわちｘ１＋ｘ２＞０であればｘ１’＋ｘ２’
＜０であり、ｘ１＋ｘ２＜０であればｘ１’＋ｘ２’＞０となっている。
【００３３】
微小プリズム１７は、具体的には、全ての測距枠５ａ〜５ｋで、反射平面（側壁）１７ａと反射平面（側壁）１７ｂとの交わる角度は直角で、同一の測距枠内では、反射平面（側壁）１７ａと反射平面（側壁）１７ｂとのこの交線は表示板５とγの角度を成し（以下、γを勾配と称す）（図６（Ｂ）参照）、さらに測距枠５ａ〜５ｋのそれぞれは複数の微小プリズム１７が表示板５に矩形状に配列され、同一測距枠内で、上記微小プリズム１７の全ての交線は左右方向の一辺に対しδの角度で傾いている（以下、このδを「向き方向」と称す）。ただし、測距枠５ａ〜５ｋを構成している微小プリズム１７の上記角度γ、δは対応する発光ダイオード１０、１１からの光がファインダ内に反射されるように計算された角度に形成される。
【００３４】
この反射光が目立たない点について、更に詳しく説明する。発光ダイオード１０に対応する測距枠の微小プリズム１７の勾配と、発光ダイオード１１に対応する測距枠の微小プリズム１７の勾配とは逆、すなわち、カメラ正面に対向してカメラを眺めたとき、一方の勾配は時計周りの勾配γ１であり、他方の勾配は反時計周りの勾配γ２を採る。従って、図７中の入射光線と反射光線とのなす角度は反射光線に関しの反射角はそれぞれα、βとなり、図７中の光線Ｌが微小プリズム５ｂで反射されるべき光線であって、この光線Ｌから発生する不要光が隣の他の微小プリズム５ａに入射したとしても、その反射光線は表示板５の垂直方向に反射されることは無く、意図しない反射光線がファインダ表示されることがない。そして左右方向の一直線に関し、発光ダイオード１０に対応する測距枠の微小プリズム１７の向き方向と、発光ダイオード１１に対応する測距枠の微小プリズム１７の向き方向とは逆、換言するとカメラ上面から表示板５を眺めたとき、左右方向の一直線に関し、一方の向き方向は時計方向に、他方の向き方向は反時計方向に測距枠の微小プリズム１７が形成されている。
【００３５】
なお、上述の勾配や向きの方向は、必要に応じて、各測距枠毎にまとめてその角度を決定しても良いし、微小プリズム毎に僅かずつ変化させてもよい。
【００３６】
以上のように構成されている本実施形態におけるスーパーインポーズ表示の作用について説明する。交換レンズ内の撮影レンズを通過した被写体光束は、可動反射ミラー３によって反射され、フォーカシングスクリーン４上に結像する。この被写体像に重畳して、例えば、撮影レンズの焦点調節に使用する測距ポイントを表示する場合には、その測距枠５ａ〜５ｋのいずれかに対応する発光ダイオード１０、１１の発光ダイオード素子を発光させる。
【００３７】
すなわち、測距枠５ａ、５ｃ、５ｄ、５ｆ、５ｈ、５ｉ、５ｋのいずれかを表示状態にするには、複数の発光ダイオード１０の内の測距枠に対応する発光ダイオード素子の一つを発光させる。また、測距枠５ｂ、５ｅ、５ｇ、５ｊのいずれかを表示状態にするには、複数の発光ダイオード１１の内の測距枠に対応する発光ダイオード素子の一つを発光させる。勿論、表示させたい測距枠が複数の場合は、複数の発光ダイオード１０、１１の任意の数の発光ダイオードを同時に複数個発光させる。
【００３８】
発光ダイオード１０、１１の投射光は、絞り開口１２、投光レンズ８を通り、反射プリズムに反射された投射光の投射光軸はペンタプリズム６の透過面６ｃの入射ポイントからペンタプリズム６に入射する。例えば、投射光の一部である投射光Ｌ（図６（Ａ）、図６（Ｂ））は、表示板５の指定された測距枠５ａ〜５ｋにおける多数の微小プリズム１７に入射し、各微小プリズム１７の側壁１７ａおよび側壁１７ｂで投射光Ｌは反射される。これによって、測距枠５ａ〜５ｋは被写体像に重畳し、ペンタプリズム６の反射面６ａ、６ｂで反射される。ユーザーは、発光ダイオード１０、１１の発光ダイオード素子によって照射された測距枠５ａ〜５ｋが重畳した被写体像を、接眼レンズを介して観察することができる。
【００３９】
測距枠５ｂを表示状態にする場合には、発光ダイオード１１の発光ダイオード素子を発光させるので、発光ダイオードからの投射光Ｌは投射範囲２０を照射する。この投射光がにじんで投射範囲２０よりも広がり、測距枠５ａ、５ｃを照射したとしても、プリズム１７の側壁１７ａ、１７ｂの角度により、隣接する測距枠５ａ、５ｃ、５ｆから投射光を不必要に反射させることなく、その反射光が接眼レンズを通りユーザーの目に入ることがない。同様に、測距枠５ｆを表示状態にする場合には、複数の発光ダイオード１０の内の測距枠５ｆに対応した発光ダイオード素子の一つを発光させる。側壁１７ａ、１７ｂの角度により、反射光が接眼レンズを通りユーザーの目に入ることがない。つまり、ターゲットとする測距枠に隣接する測距枠は不必要に照明されず、必要な枠のみが表示状態となる。
【００４０】
前述したように枠体１３には光路変更用の反射プリズムが配置されており、この反射プリズムは、発光ダイオード１０、１１からの投射光を反射させ、ペンタプリズム６のダハ面６ｄから入射させる。また、ペンタプリズム６の側方に配置された発光ダイオード１０、１１は、発光光をカメラ前方から後方に投射し、反射プリズムは投射光を下方に折り曲げるように反射し、ペンタプリズム６に入射させる。なお、反射プリズムはペンタプリズム６のダハ６ｄ面上に配置し、発光ダイオード１０、１１からの投射光を反射した後にペンタプリズム６内に入射する。反射プリズムを用いて投射光を折り曲げることにより、空間を有効に活用し、カメラを小型化することができる。
【００４１】
また、本実施形態の説明においては、正立の被写体像を得るためにガラス等を用いたペンタプリズム６を用いた例について説明したが、ペンタプリズム６の外形と同形状の反射鏡から構成するようにしても勿論構わない。すなわち、フォーカシングスクリーン４上の被写体像を接眼レンズに導くために、フォーカシングスクリーンから被写体光束を入射させる入射開口とフォーカシングスクリーン４からの被写体光束を左右反転させながらカメラの前方へ反射する第１の反射面である一対のダハ面と、この第１の反射面から反射された被写体光束をカメラ後方に反射する第２の反射面とを有する反射ミラー部材を用いるようにしても良い。この場合には、ペンタプリズムを用いる場合に比べ、カメラの軽量化を図ることができる。
【００４２】
以上の説明したように、本実施形態においては、測距枠を投射する照明光を、隣接する測距枠の間では、互いに異なる方向から投射し、ターゲットとする測距枠以外からの反射光はユーザーの目に入ることのないようにしている。すなわち、表示板５の測距枠５ａ〜５ｋは、右方（第１の方向）から投射光を入射した場合と、左方（第２の方向）から投射光を入射した場合で、その反射微小プリズムの角度を互いに大きく異ならせているため、ターゲットとしない測距枠５ａ〜５ｋに投射光が入射した場合には、表示状態とはならない。このため、スーパーインポーズ表示を行うにあたって、隣接するターゲットマークが照明され表示状態となることがない。
【００４３】
また、本実施形態においては、発光ダイオード１０、１１からの投射光を、反射プリズムを用いて、ペンタプリズム６に入射させるようにしている。投射光を折り曲げることが容易に行うことができることから、空間を有効に活用し、カメラの小型化を図ることができる。また、微小プリズム１７は表示板５に設けていたが、表示板５を廃して、製作上可能であれば、焦点板であるフォーカシングスクリーン４上に設けても良い。
【００４４】
さらに、本実施形態においては、微小プリズム１７の側壁１７ａ、１７ｂの角度を工夫し、投射光の入射角度に応じて、ターゲットとする測距枠の場合には反射光がユーザーの目に入り、一方、ターゲットしない測距枠の場合には反射光がユーザーの目に入らないようにしている。このため、光を効率的に利用することができる。
【００４５】
さらに、本実施形態においては、ペンタプリズム６の側方のダハ面６ｄより照射光をペンタプリズム内に入射させ、表示板５に投射している。このように、ペンタプリズム６の前側上部から照明光を入射していないので、ストロボをカメラ上部に内蔵させるにあたって、邪魔にならない。また、ダハ面６ｄの側方にあることから、ペンタプリズム６の被写体光束の出射面を邪魔することがなく、ファインダ倍率を低下させることがない。
【００４６】
なお、本実施形態の説明にあたっては、微小プリズム１７を用いて、発光ダイオード１０、１１からの投射光の入射方向に応じて反射させるようにしていたが、これに限らず、入射角度依存性のある反射面であれば良い。また、発光手段として発光ダイオードを用いた例を示したが、電球等でも良く、発光ダイオードに限らない。さらに、ターゲットマークとして、測距ポイントを示す例を示したが、これに限らず、測光ポイント、スマイル被写体等、種々のターゲットに適用できることは勿論である。
【００４７】
さらに、本実施形態の説明にあたっては、一眼レフカメラのファインダ装置に適用した例を説明したが、これに限らず、例えば、コンパクトカメラの実像式ファインダ等、種々のファインダ装置に適用できる。
【００４８】
本発明の実施形態の説明にあたっては、カメラとしては、デジタル一眼レフカメラに適用した例を挙げたが、デジタルカメラとしては一眼レフタイプやコンパクトタイプのデジタルカメラ等のいずれでも良く、またこれらのデジタルカメラ以外にも、ビデオカメラ、携帯電話、ＰＤＡ（携帯情報端末：Personal Digital Assistant）等の携帯電子機器でもよく、また専用機に組み込まれるような撮像装置であってもよい。いずれにしても、本発明はファインダ装置を有すると共に、このファインダ装置にスーパーインポーズ表示するカメラのファインダ装置であれば適用することができる。
【００４９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【図面の簡単な説明】
【００５０】
【図１】本発明の一実施形態に係わるデジタル一眼レフカメラを正面からみた要部内部配置原理図である。
【図２】本発明の一実施形態に係わるデジタル一眼レフカメラのペンタプリズム周辺の具体的な構造を示す斜視図である。
【図３】本発明の一実施形態に係わるデジタル一眼レフカメラのペンタプリズム周辺の分解斜視図である。
【図４】本発明の一実施形態におけるデジタル一眼レフカメラの表示板を示す平面図である。
【図５】本発明の一実施形態におけるデジタル一眼レフカメラの測距枠の構成を示す平面図である。
【図６】本発明の一実施形態におけるデジタル一眼レフカメラの測距枠を構成する微小プリズムの断面図であり、（Ａ）は微小プリズム１７のＡＡ断面図であり、（Ｂ）はＢＢ断面図である。
【図７】本発明の一実施形態におけるデジタル一眼レフカメラにおいて、図４に示した表示板の一部を省略したＡＡ断面である。
【図８】本発明の一実施形態におけるデジタル一眼レフカメラにおいて、表示板における各微小プリズムの反射方向を説明する平面図である。
【図９】従来の一眼レフレックスカメラの表示部の断面図である。
【符号の説明】
【００５１】
１・・・カメラ本体、２・・・ボディマウント面、３・・・可動反射ミラー、４・・・フォーカシングスクリーン、５・・・表示板、５ａ〜５ｋ・・・測距枠、５ｍ・・・評価測光範囲、５ｎ・・・視野枠、６・・・ペンタプリズム、６ａ・・・反射面、６ｂ・・・反射面、６ｃ・・・透過領域（領域面）、６ｄ・・・ダハ面、８・・・投光レンズ、８Ａ・・・レンズ保持部材、９・・・基板、１０・・・発光ダイオード、１１・・・発光ダイオード、１２・・・絞り、１３・・・枠体、１３ａ・・・孔、１３ｂ・・・ネジ孔、１３ｃ・・・スリット溝、１３ｄ・・・面、１５・・・ペンタプリズム保持体、１５ａ・・・ピン、１５ｂ・・・孔、１６・・・撮影情報表示部、１７・・・微小プリズム、１７ａ・・・側壁、１７ｂ・・・側壁、１７ｃ・・・稜線、１８・・・投光レンズ、１９・・・基板、２０・・・投射範囲、３１・・・フォーカシングスクリーン、３２・・・表示板、３２ａ1〜３２ｃ２・・・プリズム集光部、３３・・・ペンタプリズム
【図３】
2009175577.tif 000003
【図１】
2009175577.tif 000004
【図２】
2009175577.tif 000005
【図４】
2009175577.tif 000006
【図５】
2009175577.tif 000007
【図６】
2009175577.tif 000008
【図７】
2009175577.tif 000009
【図８】
2009175577.tif 000010
【図９】
2009175577.tif 000011
【手続補正書】
【提出日】平成20年2月1日(2008.2.1)
【手続補正１】
【補正対象書類名】明細書
【補正対象項目名】００３１
【補正方法】変更
【補正の内容】
【００３１】
微小プリズム５ａ’の一対の反射面の一方の反射面５ａ’ａの反射側への単位法線ベクトルをＡ２、その成分を（ｘ１’、ｙ１’、ｚ１’）、他方の反射面５ａ’ｂの反射側への単位法線ベクトルをＢ２（ｘ２’、ｙ２’、ｚ２’）とすると、Ａ２＋Ｂ２のベクトルのｘ、ｙ、ｚの成分を（ｘ１’＋ｘ２’、ｙ１’＋ｙ２’、ｚ１’＋ｚ２’）と定義できる。このときＡ２＋Ｂ２の成分（ｘ１’＋ｘ２’）は負の成分、成分（ｙ１’＋ｙ２’）は負の成分をとり、成分（ｚ１’＋ｚ２’）は正の成分を採る。そしてこの微小プリズム５ａ’の交差線はＸ−Ｙ平面に関し正の傾きを呈している。また、微小プリズム５ｃ’、５ｄ’、５ｆ’、５ｈ’、５ｉ’、５ｋ’、についても、微小プリズム５ａ’と同様となっている。